(57)【特許請求の範囲】
【請求項１】
電子機器にインストールされたアプリケーションを立ち上げるアイコンを表示画面上に表示するよう制御する表示制御装置であって、
複数のアイコンを合成して、一度の操作で複数のアプリケーションを立ち上げ可能な１つの合成アイコンを合成するアイコン合成部と、
前記アイコン合成部により合成された前記合成アイコンを前記表示画面に表示するよう制御する表示制御部とを備え、
前記アイコン合成部は、第一の領域を押下することにより、第一のアプリケーションを立ち上げ可能であり、前記第一の領域と異なる第二の領域を押下することにより、前記第一のアプリケーションと異なる第二のアプリケーションを立ち上げ可能であり、前記第一の領域、および前記第二の領域とそれぞれ隣接し、前記第一の領域、および前記第二の領域と異なる第三の領域を押下することにより、前記第一のアプリケーション、および前記第二のアプリケーションの双方を立ち上げ可能な前記合成アイコンを合成する、表示制御装置。
【請求項２】
前記アイコン合成部は、前記第一の領域と前記第二の領域と前記第三の領域とをそれぞれ矩形状にして合成する、請求項１に記載の表示制御装置。
【請求項３】
前記アイコン合成部は、前記第一の領域と前記第二の領域との間に前記第三の領域を配置するよう合成する、請求項１または２に記載の表示制御装置。
【請求項４】
前記表示制御部は、前記合成アイコンに所定の操作を加えると、立ち上がる前記アプリケーションを表示するよう制御する、請求項１〜３のいずれか１項に記載の表示制御装置。
【請求項５】
前記表示制御部は、前記合成アイコンに所定の操作を加えると、立ち上げ可能な前記アプリケーションを並べて表示し、立ち上げる前記アプリケーションを選択させるよう制御する、請求項４に記載の表示制御装置。
【発明の詳細な説明】
【技術分野】
【０００１】
この発明は、表示制御装置に関するものである。
【背景技術】
【０００２】
コンピューターに接続され、ユーザーとのインターフェースとなるディスプレイは、コンピューター側から発信される情報やユーザーの入力内容を表示する。ここで、ディスプレイの表示画面には、クリックによりアプリケーションを立ち上げたり、ファイルやフォルダを開けたりするアイコンやツールバーが表示されている。アイコンをクリックすると、ウィンドウを開いて表示して、アプリケーションが立ち上がったり、ファイルやフォルダが開いたりする。
【０００３】
ここで、アイコンの表示に関する技術が、特開２０００−２２７８２８号公報（特許文献１）、特表２０１３−５２５８７８号公報（特許文献２）、および特開２０１５−１９８５号公報（特許文献３）に開示されている。
【０００４】
特許文献１に開示の情報処理システムによると、複数のアイコンを表示可能な表示装置と、ポインティングデバイスを含む入力装置とからなり、ポインティングデバイスにより、表示装置上に表示された第一のアイコンを第二のアイコン上へドラッグアンドドロップすることにより、第一、第二アイコンに関連した情報処理が実行可能なグラフィカル・ユーザー・インターフェースを備えている。そして、この情報処理システムは、第一アイコンを第二アイコン上へドロップして情報処理が実行されるに先立ち、入力装置により上記第二アイコン近傍で上記第一アイコンをドラッグしたまま所定の操作を行うことで、情報処理の処理条件を設定可能なことを特徴としている。
【０００５】
特許文献２に開示の多機能デバイスによると、第一のオブジェクトが第二のオブジェクトに近接している間に第一の入力が事前定義済みフォルダ作成基準を満たしたことを検出することに応答して、デバイスは、第一のオブジェクトおよび第二のオブジェクトを含むフォルダを作成することとしている。
【０００６】
特許文献３によると、フォルダを管理するためのデバイスにおいて、入力は、ディスプレイ上の第一の動作アイコンの場所に対応するタッチセンシティブ面上の場所における接触と、その後の第二の動作アイコンに近接する場所への接触の移動とを含むこととしている。そして、この入力に応答して、デバイスは、新しいフォルダを作成し、第一の選択可能なユーザーインターフェース・オブジェクトおよび第二の選択可能なユーザーインターフェース・オブジェクトの縮小表現を含む新しいフォルダに対するフォルダ・アイコンを表示することとしている。
【先行技術文献】
【特許文献】
【０００７】
【特許文献１】特開２０００−２２７８２８号公報
【特許文献２】特表２０１３−５２５８７８号公報
【特許文献３】特開２０１５−１９８５号公報
【発明の概要】
【発明が解決しようとする課題】
【０００８】
表示画面に表示されたアイコンをクリックすると、作業領域となるウィンドウが開いて表示され、アプリケーションを立ち上げたり、ファイルやフォルダを開けることができる。複数のアイコンをクリックすると、複数のウィンドウが表示されることになる。このように複数のアプリケーションを立ち上げ、複数のウィンドウを表示させてユーザーが作業を行うことは、一般的に広く用いられている手法である。
【０００９】
ここで、複数のアプリケーションを立ち上げる際には、それぞれ別個のアイコンをクリックして立ち上げなければならない。ユーザーの利便性の向上の観点からすると、できるだけ操作数を少なくして、複数のアプリケーションを立ち上げ可能な構成とすることが望まれる。
【００１０】
特許文献１に開示の技術では、単に第一アイコンを第二アイコン上へドロップして情報処理を実行する構成であり、上記した要求に応えることはできない。また、特許文献２、および特許文献３に開示の技術では、例えば、第一のオブジェクトが第二のオブジェクトに近接している間に第一の入力が事前定義済みフォルダ作成基準を満たしたことを検出するといった条件が必要となり、ユーザーの要求に沿わない場合がある。
【００１１】
この発明の目的は、ユーザーの利便性を向上することができる表示制御装置を提供することである。
【課題を解決するための手段】
【００１２】
この発明の表示制御装置は、電子機器にインストールされたアプリケーションを立ち上げるアイコンを表示画面上に表示するよう制御する。表示制御装置は、アイコン合成部と、表示制御部とを備える。アイコン合成部は、複数のアイコンを合成して、一度の操作で複数のアプリケーションを立ち上げ可能な１つの合成アイコンを合成する。表示制御部は、アイコン合成部により合成された合成アイコンを表示画面に表示するよう制御する。アイコン合成部は、第一の領域を押下することにより、第一のアプリケーションを立ち上げ可能であり、第一の領域と異なる第二の領域を押下することにより、第一のアプリケーションと異なる第二のアプリケーションを立ち上げ可能であり、第一の領域、および第二の領域とそれぞれ隣接し、第一の領域、および第二の領域と異なる第三の領域を押下することにより、第一のアプリケーション、および第二のアプリケーションの双方を立ち上げ可能な合成アイコンを合成する。
【発明の効果】
【００１３】
このような表示制御装置によると、合成アイコンに対する一度の操作で電子機器にインストールされた複数のアプリケーションを立ち上げることができる。そうすると、複数のアプリケーションを立ち上げる際に、例えば、複数のアイコンを押下しなくともよく、ユーザーの操作数の低減を図ることができる。したがって、このような表示制御装置は、ユーザーの利便性を向上することができる。
【図面の簡単な説明】
【００１４】
【図１】この発明の一実施形態に係る表示制御装置を含む表示システムの構成を示すブロック図である。
【図２】図１に示す表示制御装置を含むコンピューターの外観を示す図である。
【図３】アイコン合成部により合成された合成アイコンの一例を示す図である。
【図４】アイコンが表示された表示画面の一例を示す図である。
【図５】アイコン合成部により合成された合成アイコンの一例を示す図である。
【図６】アイコン合成部により合成された合成アイコンの一例を示す図である。
【図７】アイコン合成部により合成された合成アイコンの一例を示す図である。
【図８】アイコン合成部により合成された合成アイコンの一例を示す図である。
【図９】この発明に係る表示制御装置を含む携帯端末装置の構成を示すブロック図である。
【発明を実施するための形態】
【００１５】
以下、この発明の実施の形態について説明する。図１は、この発明の一実施形態に係る表示制御装置を含む表示システムの構成を示すブロック図である。図２は、図１に示す表示制御装置を含む電子機器としてのコンピューターの外観を示す図である。
【００１６】
図１および図２を参照して、表示システム１１は、表示制御装置１３を含む電子機器としてのコンピューター１２と、表示画面１７を含むディスプレイ１４と、キーボード１５と、マウス１６とを備える。コンピューター１２は、ディスプレイ１４、キーボード１５、およびマウス１６のそれぞれと接続されている。
【００１７】
コンピューター１２は、コンピューター１２自身を制御するコンピューター制御部１８と、データを格納するハードディスク１９とを備える。ハードディスク１９には、種々のアプリケーションがインストールされている。ディスプレイ１４は、コンピューター１２における情報の表示に際して、ユーザーへの出力のインターフェースとなる。すなわち、ディスプレイ１４の表示画面１７において、コンピューター１２における種々の情報を表示すると共に、ユーザーによる入力内容等を表示する。具体的には、表示画面１７には、所定の操作として、クリックにより、アプリケーションを立ち上げたり、ファイルやフォルダを開けたりするアイコンやツールバー等が表示されている。なお、所定の操作としては、ユーザーとのインターフェースにタッチパネルを用いる場合、タッチパネルによるタッチ操作が含まれる。例えば、画像を形成する複合機において、インターフェースとして操作内容を入力させるタッチパネルが備えられる場合、所定の操作として、このタッチパネルにおけるアイコンやメニューへのタッチ操作が含まれる。さらに、静電容量タイプの場合、直接画面に触れなくても操作が可能である。
【００１８】
キーボード１５およびマウス１６は、ユーザーからコンピューター１２に対する入力のインターフェースとなる。すなわち、ユーザーは、ディスプレイ１４の表示画面１７に表示される内容を見て、キーボード１５およびマウス１６を用いて、コンピューター１２への動作の実行の命令の入力や数値データの入力等の操作を行う。
【００１９】
表示画面１７による表示を制御する表示制御装置１３は、コンピューター１２に備えられている。表示制御装置１３は、所定の操作の一例である押下操作としてのクリックによりコンピューター１２にインストールされたアプリケーションを立ち上げるアイコンを表示画面１７上に表示するよう制御する。
【００２０】
ここで、表示制御装置１３は、アイコン合成部２１と、表示制御部２２とを備える。アイコン合成部２１は、複数のアイコンを合成して、一度のクリックで複数のアプリケーションを立ち上げ可能な合成アイコンを合成する。アイコンの合成については、二つのアイコンを合成する場合、一方のアイコンの上に、他方のアイコンをドラッグアンドドロップするという操作を経て合成を行う。また、アイコンを合成する専用の設定画面を設け、この設定画面を用いて複数のアイコンを合成することにしてもよい。そして、表示制御部２２は、アイコン合成部２１により合成された合成アイコンを表示画面に表示するよう制御する。
【００２１】
図３は、アイコン合成部２１により合成された合成アイコンの一例を示す図である。図３を参照して、合成アイコン２３は、アイコン合成部２１によって合成されたアイコンである。合成アイコン２３は、複数のアイコンを合成して、一度の操作、この場合、一度のクリックで複数のアプリケーションを立ち上げ可能である。
【００２２】
具体的には、合成アイコン２３は、以下のように構成されている。すなわち、合成アイコン２３は、第一の領域２４ａと、第一の領域２４ａと異なる第二の領域２４ｂと、第一の領域２４ａ、および第二の領域２４ｂと異なる第三の領域２４ｃとを含む。第一の領域２４ａの中央には、クリックにより第一のアプリケーションＸを立ち上げることを示す「Ｘ」の表記２５ａがなされている。第二の領域２４ｂの中央には、クリックにより第二のアプリケーションＹを立ち上げることを示す「Ｙ」の表記２５ｂがなされている。各領域２４ａ〜２４ｃは、線によって境界が示されている。第一〜第三の領域２４ａ〜２４ｃの形状はそれぞれ、矩形状である。第三の領域２４ｃは、第一の領域２４ａと第二の領域２４ｂとの間に配置されている。なお、理解の容易の観点から、ハッチングによって領域２４ａ〜２４ｃを区別することとしている。各領域２４ａ〜２４ｃは、例えば、色の相違によって区別されていてもよいし、色の濃淡によって区別されていてもよい。以下に示す場合も同様である。
【００２３】
このような合成アイコン２３は、例えば、図４に示すように、「Ｘ」の表記２７ａがなされ、クリックにより第一のアプリケーションＸを立ち上げる第一のアイコン２６ａと、「Ｙ」の表記２７ｂがなされ、クリックにより第二のアプリケーションＹを立ち上げる第二のアイコン２６ｂとを組み合わせることにより合成される。すなわち、アイコン合成部２１は、第一のアイコン２６ａと第二のアイコン２６ｂとを組み合わせて、合成アイコン２３を合成している。
【００２４】
ユーザーは、合成アイコン２３において、第一の領域２４ａをクリックすることにより、第一のアプリケーションＸを立ち上げることができる。また、ユーザーは、合成アイコン２３において、第二の領域２４ｂをクリックすることにより、第二のアプリケーションＹを立ち上げることができる。さらに、ユーザーは、合成アイコン２３において、第三の領域２４ｃをクリックすることにより、第一のアプリケーションＸ、および第二のアプリケーションＹの双方を立ち上げることができる。すなわち、ユーザーは、合成アイコン２３のうち、第三の領域２４ｃをクリックすることにより、一度の押下操作で、第一のアプリケーションＸ、および第二のアプリケーションＹの双方を同時に立ち上げることができる。
【００２５】
このような構成の表示制御装置１３によると、合成アイコン２３、具体的には、第三の領域２４ｃをクリックすることによりコンピューター１２にインストールされた複数のアプリケーションＸ、Ｙを立ち上げることができる。そうすると、複数のアプリケーションＸ、Ｙを立ち上げる際に、複数のアイコンを押下しなくともよく、ユーザーの操作数の低減を図ることができる。したがって、このような表示制御装置１３は、ユーザーの利便性を向上することができる。
【００２６】
この場合、アイコン合成部２１は、第一の領域２４ａをクリックすることにより、第一のアプリケーションＸを立ち上げ可能であり、第二の領域２４ｂをクリックすることにより、第二のアプリケーションＹを立ち上げ可能であり、第三の領域２４ｃをクリックすることにより、第一のアプリケーションＸ、および第二のアプリケーションＹの双方を立ち上げ可能な合成アイコン２３を合成することとしている。そうすると、各アプリケーションＸ、Ｙをそれぞれ立ち上げる際にも、各領域２４ａ、２４ｂをそれぞれクリックすることにより対応することができる。したがって、よりユーザーの利便性の向上を図ることができる。
【００２７】
また、この場合、アイコン合成部２１は、第一の領域２４ａと第二の領域２４ｂとの間に第三の領域２４ｃを配置するよう合成しているため、双方のアプリケーションＸ、Ｙを立ち上げたい場合に、クリックする領域２４ｃを容易に把握することができる。したがって、さらにユーザーの利便性の向上を図ることができる。
【００２８】
なお、上記の実施の形態において、アイコンを複数の領域２４ａ〜２４ｃに分けず、単にクリックによりアプリケーションＸ、Ｙの双方を立ち上げ可能なアイコンを合成して表示するよう制御してもよい。
【００２９】
図５は、この場合のアイコン合成部２１により合成された合成アイコンの一例を示す図である。図５を参照して、合成アイコン２８には、アプリケーションＸの立ち上げを示す「Ｘ」の表記２９ａと、アプリケーションＹの立ち上げを示す「Ｙ」の表記２９ｂとが示されている。合成アイコン２８をクリックすることにより、アプリケーションＸ、Ｙの双方のアプリケーションを立ち上げることができる。この場合、合成アイコン２８のいずれの領域をクリックしても、アプリケーションＸ、Ｙの双方が立ち上がるようにする。このように構成することにしてもよい。
【００３０】
また、上記の実施の形態においては、二つのアプリケーションＸ、Ｙを立ち上げ可能な合成アイコン２３、２８を合成することとしたが、これに限らず、アイコン合成部２１は、三つ以上のアプリケーションを立ち上げ可能な合成アイコンを合成することとしてもよい。
【００３１】
図６は、この場合のアイコン合成部２１により合成された合成アイコンの一例を示す図である。図６を参照して、合成アイコン３１には、アプリケーションＸの立ち上げを示す「Ｘ」の表記３２ａと、アプリケーションＹの立ち上げを示す「Ｙ」の表記３２ｂと、アプリケーションＺの立ち上げを示す「Ｚ」の表記３２ｃと、アプリケーションＷの立ち上げを示す「Ｗ」の表記３２ｄとが示されている。この合成アイコン３１の中のどの領域をクリックしても、アプリケーションＸ、Ｙ、Ｚ、Ｗの四つが一度に立ち上がることとなる。
【００３２】
なお、上記の実施の形態において、アプリケーションＸ、Ｙ、Ｚ、Ｗのうち、四つを一度に立ち上げ可能にすると共に、四つのうちの例えば二つのアプリケーションを選択して立ち上げ可能な構成としてもよい。
【００３３】
図７は、この場合のアイコン合成部２１により合成された合成アイコンの一例を示す図である。図７を参照して、合成アイコン３６には、領域３７ａにおいてアプリケーションＸの立ち上げを示す「Ｘ」の表記３８ａと、領域３７ｂにおいてアプリケーションＹの立ち上げを示す「Ｙ」の表記３８ｂと、領域３７ｃにおいてアプリケーションＺの立ち上げを示す「Ｚ」の表記３８ｃと、領域３７ｄにおいてアプリケーションＷの立ち上げを示す「Ｗ」の表記３８ｄとが示されている。
【００３４】
さらに、領域３７ａと領域３７ｂとの間には、クリックによりアプリケーションＸおよびアプリケーションＹの双方を立ち上げ可能な領域３７ｅが設けられている。同様に、領域３７ａと領域３７ｃとの間、領域３７ｂと領域３７ｄとの間、そして、領域３７ｃと領域３７ｄとの間には、それぞれクリックによりアプリケーションＹおよびアプリケーションＺ、アプリケーションＹおよびアプリケーションＷ、アプリケーションＺおよびアプリケーションＷを立ち上げ可能な領域３７ｆ、３７ｇ、３７ｈが設けられている。さらに、それぞれの領域３７ａ〜３７ｈの中央側に位置する領域３７ｉをクリックすると、アプリケーションＸ、Ｙ、Ｚ、Ｗの四つを一度に立ち上げることができる。このように構成することにしてもよい。
【００３５】
なお、表示制御部２２は、所定の操作を加えると、例えば、合成アイコンの上にカーソルを配置させると、立ち上がるアプリケーションを表示するよう制御することとしてもよい。こうすることにより、ユーザーは、どのような複数のアプリケーションが立ち上がるのか予め把握することができ、よりユーザーの利便性を向上させることができる。なお、ダブルクリックによりアプリケーションを立ち上げる構成とし、所定の操作として単なるワンクリックにより立ち上がるアプリケーションを表示するような制御もある。
【００３６】
また、上記の実施の形態において、表示制御部２２は、所定の操作を加えると、例えば、合成アイコンの上にカーソルを配置させると、立ち上げ可能なアプリケーションを並べて表示し、立ち上げるアプリケーションを選択させるよう制御するよう構成してもよい。
【００３７】
図８は、この場合のアイコン合成部２１により合成された合成アイコンの一例を示す図である。図８を参照して、所定の操作として、図７に示す合成アイコン３６の上に図示しないカーソルを配置させるといった操作を行うと、表記３９において、立ち上げ可能なアプリケーション、この場合は、立ち上げ可能なアプリケーションＸ、Ｙ、Ｚ，Ｗの組み合わせが並べて表示される。このような構成とすることにより、複数のアプリケーションＸ、Ｙ、Ｚ、Ｗのうちのいずれかを二つ以上立ち上げる際に、よりユーザーのニーズに沿ったアプリケーションの立ち上げを行うことができる。
【００３８】
また、このような表示制御装置１３等は、コンピューター１２に接続されたディスプレイ１４の表示画面１７のみに限らず、例えば、電子機器としてのスマートフォン等の携帯端末装置の表示を制御する際にも利用される。
【００３９】
図９は、この発明に係る表示制御装置を含む携帯端末装置の構成を示すブロック図である。図９を参照して、携帯端末装置４１は、携帯端末装置制御部４２と、ハードディスク４３と、表示画面４４と、表示制御装置４５とを備える。携帯端末装置制御部４２は、携帯端末装置４１自身を制御する。ハードディスク４３は、データを格納する。表示画面４４は、情報を表示する。表示画面４４には、アイコン等が表示される。
【００４０】
表示制御装置４５は、所定の操作としてのタップやフリックにより電子機器としての携帯端末装置４１にインストールされたアプリケーションを立ち上げるアイコンを表示画面４４上に表示するよう制御する。
【００４１】
ここで、表示制御装置４５は、アイコン合成部４６と、表示制御部４７とを備える。アイコン合成部４６は、複数のアイコンを合成して、一度のクリックで複数のアプリケーションを立ち上げ可能な合成アイコンを合成する。表示制御部４７は、アイコン合成部４６により合成された合成アイコンを表示画面に表示するよう制御する。このような構成によっても、ユーザーの利便性を向上することができる。
【００４２】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４３】
この発明に係る表示制御装置は、ユーザーの利便性の向上が要求される場合に、特に有効に利用される。
【符号の説明】
【００４４】
１１  表示システム、１２  コンピューター、１３，４５  表示制御装置、１４  ディスプレイ、１５  キーボード、１６  マウス、１７，４４  表示画面、１８  コンピューター制御部、１９，４３  ハードディスク、２１，４６  アイコン合成部、２２，４７  表示制御部、２３，２８，３１，３６  合成アイコン、２４ａ，２４ｂ，２４ｃ，３７ａ，３７ｂ，３７ｃ，３７ｄ，３７ｅ，３７ｆ，３７ｇ，３７ｈ，３７ｉ、領域、２５ａ，２５ｂ，２７ａ，２７ｂ，２９ａ，２９ｂ，３２ａ，３２ｂ，３２ｃ，３２ｄ，３８ａ，３８ｂ，３８ｃ，３８ｄ，３９  表記、２６ａ，２６ｂ  アイコン、４１  携帯端末装置、４２  携帯端末装置制御部。
【図１】
0006458751.tif 000002
【図２】
0006458751.tif 000003
【図３】
0006458751.tif 000004
【図４】
0006458751.tif 000005
【図５】
0006458751.tif 000006
【図６】
0006458751.tif 000007
【図７】
0006458751.tif 000008
【図８】
0006458751.tif 000009
【図９】
0006458751.tif 000010